(57)【要約】【課題】隣接トラックのデータの消失を抑制することが可能なヘッドスライダ及び磁気ディスク装置を提供する。【解決手段】本発明のヘッドスライダにおいて、主磁極２１は、先端面２１ａから浮上方向に離れるのに従って主磁極２１の厚みが増すように傾斜するテーパー面２１ｂをリーディング（ＬＤ）側に有する。トレーリングシールド４１は、ディスク対向面１０ａのうち、主磁極２１の先端面２１ａからトレーリング（ＴＲ）方向に離れて設けられる。サイドシールド４３は、ディスク対向面１０ａのうち、主磁極２１のテーパー面２１ｂがディスク対向面１０ａに投影された投影領域からスライダ幅方向（ＷＤ）に離れて設けられ、かつ、トレーリングシールド４１と磁気的に分離され、主磁極２１の先端面２１ａのリーディング側の端よりリーディング方向に設けられる。【選択図】図４
2011123956.tif 000002
【特許請求の範囲】
【請求項１】
回転する磁気ディスク上に浮上するヘッドスライダであって、
前記磁気ディスクと対向するディスク対向面まで延び、先端面から記録磁界を発する主磁極であって、前記先端面から浮上方向に離れるのに従って当該主磁極の厚みが増すように傾斜するテーパー面をリーディング側に有する主磁極と、
前記ディスク対向面のうち、前記主磁極の先端面からトレーリング方向に離れて設けられた、磁性体からなるトレーリングシールドと、
前記ディスク対向面のうち、前記主磁極のテーパー面が前記ディスク対向面に投影された投影領域のスライダ幅方向に設けられ、かつ、前記トレーリングシールドと磁気的に分離され、前記主磁極の先端面のリーディング側の端よりリーディング方向に設けられた、磁性体からなるサイドシールドと、
を備えることを特徴とするヘッドスライダ。
【請求項２】
前記サイドシールドは、前記投影領域よりリーディング方向に広がる、
請求項１に記載のヘッドスライダ。
【請求項３】
磁気ディスクと、回転する前記磁気ディスク上に浮上するヘッドスライダと、を備える磁気ディスク装置であって、
前記ヘッドスライダは、
前記磁気ディスクと対向するディスク対向面まで延び、先端面から記録磁界を発する主磁極であって、前記先端面から浮上方向に離れるのに従って当該主磁極の厚みが増すように傾斜するテーパー面をリーディング側に有する主磁極と、
前記ディスク対向面のうち、前記主磁極の先端面からトレーリング方向に離れて設けられた、磁性体からなるトレーリングシールドと、
前記ディスク対向面のうち、前記主磁極のテーパー面が前記ディスク対向面に投影された投影領域のスライダ幅方向に設けられ、かつ、前記トレーリングシールドと磁気的に分離され、前記主磁極の先端面のリーディング側の端よりリーディング方向に設けられた、磁性体からなるサイドシールドと、
を含む、
ことを特徴とする磁気ディスク装置。
【発明の詳細な説明】
【技術分野】
【０００１】
本発明は、ヘッドスライダ及び磁気ディスク装置に関し、特には、主磁極の形状およびシールドの配置に関する。
【背景技術】
【０００２】
磁気ディスク装置に用いられるヘッドスライダには、垂直磁気記録を実現する単磁極型記録ヘッドを有するものがある。こうした単磁極型記録ヘッドには、磁気ディスクと対向するディスク対向面まで延び、先端面から記録磁界を発する主磁極が含まれる。
【０００３】
特許文献１には、主磁極のリーディング側にテーパー面が設けられた磁気ディスク装置が開示されている。
【先行技術文献】
【特許文献】
【０００４】
【特許文献１】特開２００５−３１０３６３号公報
【発明の概要】
【発明が解決しようとする課題】
【０００５】
ところで、本発明者らが研究を重ねた結果、上記のようにテーパー面が設けられた主磁極では、テーパー面から漏れ出す記録磁界が多い上、漏れ出した磁界が周囲に広がってしまうことが判明した。このように周囲に広がった記録磁界は、隣接トラックのデータを消失させてしまうおそれがある。
【０００６】
本発明は、上記実情に鑑みて為されたものであり、隣接トラックのデータの消失を抑制することが可能なヘッドスライダ及び磁気ディスク装置を提供することを主な目的とする。
【課題を解決するための手段】
【０００７】
上記課題を解決するため、本発明のヘッドスライダは、回転する磁気ディスク上に浮上するヘッドスライダであって、前記磁気ディスクと対向するディスク対向面まで延び、先端面から記録磁界を発する主磁極と、磁性体からなるトレーリングシールドと、磁性体からなるサイドシールドと、を備える。前記主磁極は、前記先端面から浮上方向に離れるのに従って当該主磁極の厚みが増すように傾斜するテーパー面をリーディング側に有する。前記トレーリングシールドは、前記ディスク対向面のうち、前記主磁極の先端面からトレーリング方向に離れて設けられる。前記サイドシールドは、前記ディスク対向面のうち、前記主磁極のテーパー面が前記ディスク対向面に投影された投影領域のスライダ幅方向に設けられ、かつ、前記トレーリングシールドと磁気的に分離され、前記主磁極の先端面のリーディング側の端よりリーディング方向に設けられる。
【０００８】
また、本発明の磁気ディスク装置は、磁気ディスクと、回転する前記磁気ディスク上に浮上するヘッドスライダと、を備える。前記ヘッドスライダは、前記磁気ディスクと対向するディスク対向面まで延び、先端面から記録磁界を発する主磁極と、磁性体からなるトレーリングシールドと、磁性体からなるサイドシールドと、を含む。前記主磁極は、前記先端面から浮上方向に離れるのに従って当該主磁極の厚みが増すように傾斜するテーパー面をリーディング側に有する。前記トレーリングシールドは、前記ディスク対向面のうち、前記主磁極の先端面からトレーリング方向に離れて設けられる。前記サイドシールドは、前記ディスク対向面のうち、前記主磁極のテーパー面が前記ディスク対向面に投影された投影領域のスライダ幅方向に設けられ、かつ、前記トレーリングシールドと磁気的に分離され、前記主磁極の先端面のリーディング側の端よりリーディング方向に設けられる。
【発明の効果】
【０００９】
上記本発明によると、サイドシールドが、主磁極のテーパー面がディスク対向面に投影された投影領域のスライダ幅方向に設けられているので、主磁極のテーパー面から漏れ出した記録磁界が隣接トラックに及ぶことを抑制することが可能である。
【００１０】
さらに、一般に、主磁極の先端面から発せられる記録磁界は、主磁極の先端面のトレーリング側の端部に集中することが知られているところ、本発明によれば、サイドシールドが、トレーリングシールドと磁気的に分離され、主磁極の先端面のリーディング側の端よりリーディング方向に設けられているので、主磁極の先端面のトレーリング側の端部に集中する記録磁界がサイドシールドによって阻害され難い。
【００１１】
なお、上記特許文献１に示されるような従来のサイドシールドの目的は、主磁極の先端面からヘッドスライダの外部に発せられた記録磁界が、ヘッドスライダと磁気ディスクの隙間内で広がることを抑制することである。これに対し、本発明のサイドシールドの目的は、主磁極のテーパー面からヘッドスライダの内部に漏れ出た記録磁界が、ヘッドスライダの外部に漏れ出ることを抑制することである。従って、本発明のサイドシールドの配置位置に係る着想は、従来技術から容易に得られるものではない。
【図面の簡単な説明】
【００１２】
【図１】本発明の一実施形態に係る磁気ディスク装置の平面図である。
【図２】本発明の一実施形態に係るヘッドスライダの断面図である。
【図３】同ヘッドスライダのディスク対向面を表す図である。
【図４】同ヘッドスライダのディスク対向面を表す図である。
【図５】図２の要部を拡大した図である。
【図６】図３の要部を拡大した図である。
【図７】本発明の変形例を表す図である。
【発明を実施するための形態】
【００１３】
本発明のヘッドスライダ及び磁気ディスク装置の実施形態を、図面を参照しながら説明する。
【００１４】
図１は、磁気ディスク装置１の平面図である。同図では、トップカバーの図示が省略されている。磁気ディスク装置１の筐体には、磁気ディスク２及びヘッドアッセンブリ４が収納されている。磁気ディスク２は、筐体の底部に設けられたスピンドルモータ３に取り付けられている。ヘッドアッセンブリ４は、磁気ディスク２の隣で旋回可能に支承されている。ヘッドアッセンブリ４の先端部には、ヘッドスライダ１０を支持するサスペンションアーム５が配置されている。他方、ヘッドアッセンブリ４の後端部には、ボイスコイルモータ７が配置されている。
【００１５】
図２は、ヘッドスライダ１０の断面図である。図３は、ヘッドスライダ１０のディスク対向面１０ａを表す図である。これらの図において、矢印ＴＲはヘッドスライダ１０のトレーリング方向を表し、矢印ＬＤはヘッドスライダ１０のリーディング方向を表す。これらの方向は、ビット長方向とも呼ばれる。また、矢印ＷＤはヘッドスライダ１０のスライダ幅方向を表す。これらの図では、ヘッドスライダ１０のトレーリング側の端部が拡大されている。
【００１６】
ヘッドスライダ１０の、磁気ディスク２と対向するディスク対向面１０ａには、空気軸受面（ＡＢＳ）が形成されている。ヘッドスライダ１０は、磁気ディスク２の回転により生じる気体流を受けて、磁気ディスク２上に浮上する。ヘッドスライダ１０は、トレーリング側の端部に設けられた非磁性層１３内に、記録ヘッド２０及び再生ヘッド３０を有している。
【００１７】
記録ヘッド２０は、垂直磁気記録を実現する単磁極型記録ヘッドである。記録ヘッド２０は、側面視で逆Ｕ字状を構成するように互いに接続された、パーマロイ等の軟磁性材料からなる主磁極２１、ヨーク部２３、補助磁極２５及び連結部２７を有している。主磁極２１は、ディスク対向面１０ａまで延びており、連結部２７の周囲に巻かれたコイル２９により励磁されて、ディスク対向面１０ａ内に現れた先端面２１ａから記録磁界を発する。先端面２１ａから発せられる記録磁界は、磁気ディスク２内で折り返されて、補助磁極２５に吸収される。主磁極２１の先端面２１ａは、リーディング側がトレーリング側よりも狭い台形状とされている。
【００１８】
また、主磁極２１の先端面２１ａの周囲には、記録ヘッド２０と磁気的に分離された、パーマロイ等の軟磁性材料からなるトレーリングシールド４１及びサイドシールド４３が設けられている。
【００１９】
再生ヘッド３０は、記録ヘッド２０よりリーディング方向に配置されている。再生ヘッド３０は、磁気抵抗効果素子からなる再生素子３２と、これを挟むように配置される一対の磁気シールド３４，３６と、を有している。
【００２０】
図４ないし図６は、主磁極の形状およびシールドの配置を説明する図である。主磁極２１の先端部は、先端面２１ａから浮上方向に離れるのに従ってリーディング方向に広がり、ビット長方向の厚みが増加している。換言すると、主磁極２１の先端部は、先端面２１ａに近づくのに従ってトレーリング方向に狭まり、ビット長方向の厚みが減少している。
【００２１】
具体的には、主磁極２１の先端部のうちリーディング側の端には、先端面２１ａから浮上方向に離れるのに従って、トレーリング側の端から離れるように傾斜したテーパー面２１ｂが形成されている。換言すると、主磁極２１の先端部のうちリーディング側の端には、先端面２１ａに近づくのに従って、トレーリング側の端に近づくように傾斜したテーパー面２１ｂが形成されている。このテーパー面２１ｂは、磁気ディスク２が位置する方向かつトレーリング方向を向いている。
【００２２】
トレーリングシールド４１は、主磁極２１の先端面２１ａからトレーリング方向に離れて設けられている。トレーリングシールド４１は、主磁極２１の先端面２１ａのトレーリング側の端よりトレーリング方向に所定距離だけ離れた位置に配置されている。トレーリングシールド４１と主磁極２１との間には、非磁性層１３が介在している。トレーリングシールド４１は、スライダ幅方向に延びる板状に構成され、ディスク対向面１０ａに現れている。
【００２３】
サイドシールド４３は、スライダ幅方向の中央で２つに分割されており、トレーリングシールド４１からリーディング方向に離れて設けられている。サイドシールド４３と、主磁極２１及びトレーリングシールド４１との間には、非磁性層１３が介在している。サイドシールド４３は、スライダ幅方向に延びる板状に構成され、ディスク対向面１０ａに現れている。サイドシールド４３の厚さは、テーパー面２１ｂの浮上方向に沿った高さより小さくされているが、これより大きくてもよい。サイドシールド４３は、トレーリングシールド４１のリーディング側の端よりもリーディング方向に、先端面２１ａのビット長方向の厚みよりも大きい距離だけ離れた位置に配置されている。
【００２４】
具体的には、スライダ幅方向の中央で分割された２つのサイドシールド４３は、主磁極２１のテーパー面２１ｂがディスク対向面１０ａに投影された投影領域を挟むように配置されている。各サイドシールド４３は、テーパー面２１ｂの投影領域からスライダ幅方向の外方に離れて配置されている。また、各サイドシールド４３は、主磁極２１の先端面２１ａのリーディング側の端よりリーディング方向に設けられている。図６には、先端面２１ａのリーディング側の端をスライダ幅方向に延長した線Ｌ１が示されている。なお、サイドシールドのトレーリング側の端は、線Ｌ１と一致してもよい。また、各サイドシールド４３は、テーパー面２１ｂの投影領域のリーディング側の端よりトレーリング方向に設けられている。図６には、テーパー面２１ｂの投影領域のリーディング側の端をスライダ幅方向に延長した線Ｌ２が示されている。
【００２５】
このように、各サイドシールド４３が、テーパー面２１ｂの投影領域のスライダ幅方向の外方に配置されることで、主磁極２１のテーパー面２１ｂからヘッドスライダ１０の内部に漏れ出た記録磁界が、ヘッドスライダ１０の外部に広がることを抑制することが可能である。また、各サイドシールド４３が、トレーリングシールド４１からリーディング方向に離れて設けられているので、主磁極２１の先端面２１ａのトレーリング側の端部に集中する記録磁界が抑制されないようにすることが可能である。
【００２６】
また、図７に示されるように、各サイドシールド４３は、テーパー面２１ｂの投影領域よりリーディング方向に広がって設けられてもよい。すなわち、各サイドシールド４３のリーディング側の端が、テーパー面２１ｂの投影領域のリーディング側の端よりリーディング方向に位置してもよい。これによれば、サイドシールド４３の体積が上記図６の例より大きくなるので、テーパー面２１ｂから漏れ出た記録磁界を吸収する効果を高めることが可能である。
【００２７】
また、２つのサイドシールド４３は、その間隔がリーディング方向に向かうのに従って徐々に狭まるように形成されてもよい。これによれば、先端面２１ａから漏れ出る記録磁界を阻害せず、テーパー面２１ｂから漏れ出る記録磁界を吸収する効果を高めることが可能である。また、各サイドシールド４３のスライダ幅方向の内端が、主磁極２１の先端面２１ａのスライダ幅方向の外端よりスライダ幅方向の内方に位置するように、各サイドシールド４３がテーパー面２１ｂの投影領域に近づけられてもよい。
【００２８】
以上、本発明の実施形態について説明したが、本発明は上記実施形態に限定されるものではなく、種々の変形実施が当業者にとって可能であるのはもちろんである。
【００２９】
例えば、上記実施形態では、主磁極２１のリーディング側のみにテーパー面２１ｂが設けられていたが、これに限られず、トレーリング側にもテーパー面を形成してもよい。
【符号の説明】
【００３０】
１  磁気ディスク装置、２  磁気ディスク、３  スピンドルモータ、４  ヘッドアッセンブリ、５  サスペンションアーム、７  ボイスコイルモータ、１０  ヘッドスライダ、１０ａ  ディスク対向面、１３  非磁性層、２０  記録ヘッド、２１  主磁極、２１ａ  先端面、２１ｂ  テーパー面、２３  ヨーク部、２５  補助磁極、２７  連結部、２９  コイル、３０  再生ヘッド、３２  再生素子、３４  磁気シールド、３６  磁気シールド、４１  トレーリングシールド、４３  サイドシールド。
【図１】
2011123956.tif 000003
【図２】
2011123956.tif 000004
【図３】
2011123956.tif 000005
【図４】
2011123956.tif 000006
【図５】
2011123956.tif 000007
【図６】
2011123956.tif 000008
【図７】
2011123956.tif 000009